(57)【要約】【課題】  各構成要素の公差に制約されることなく組立可能な回動調節装置。【解決手段】  接眼レンズハウジングのキャップ部材の回動調節装置であって、前記キャップ部材が、該キャップ部材の内面に、軸線方向に上昇するよう（軸線を含む面に対する投影図において軸線方向に対し傾斜するよう）延在する複数の溝であって、当該溝（複数）の滑底面（複数）に所定の係止窪部（複数）を有する溝（複数）を有し、半径方向外側を指向する複数の突起が前記接眼レンズハウジングに配され、該突起（複数）は、前記溝（複数）の前記滑底面（複数）と係合し、かつ前記溝（複数）の前記滑底面（複数）上及び前記係止窪部（複数）内において予付勢状態で当接するよう構成された回動調節装置において、前記複数の突起（５）は、前記接眼レンズハウジング（１）において弾性的に支持されることを特徴とする。【選択図】  図１
2005173593.tif 000002
【特許請求の範囲】
【請求項１】
接眼レンズハウジングのキャップ部材の回動調節装置であって、
前記キャップ部材が、該キャップ部材の内面に、軸線方向に上昇するよう延在する複数の溝であって、当該溝（複数）の滑底面（複数）に所定の係止窪部（複数）を有する溝（複数）を有し、
前記接眼レンズハウジングに半径方向外方を指向する複数の突起が配され、該突起（複数）は、前記溝（複数）の前記滑底面（複数）と係合し、かつ前記溝（複数）の前記滑底面（複数）上及び前記係止窪部（複数）内において付勢力下で当接するよう構成された回動調節装置において、
前記複数の突起（５）は、前記接眼レンズハウジング（１）において弾性的に支持されること
を特徴とする装置。
【請求項２】
前記複数の突起（５）は、前記接眼レンズハウジング（１）の周に形成される環状空間（７）において該環状空間（７）に嵌合された弾性要素（９）に載置されると共に、該突起（５）の径と比べてより大きい径を有する平板状の基脚部（８）を有すること
を特徴とする請求項１に記載の装置。
【請求項３】
前記弾性要素（９）として、エラストマーリング（１２）が配されること
を特徴とする請求項２に記載の装置。
【請求項４】
前記弾性要素（９）として、金属製の線状リング（１３）が配されること
を特徴とする請求項２に記載の装置。
【請求項５】
前記線状リング（１３）は、閉鎖的に構成されること
を特徴とする請求項４に記載の装置。
【請求項６】
前記弾性要素（９）として、平面状の弾性ベルト（１５）が配されること
を特徴とする請求項２に記載の装置。
【請求項７】
前記弾性要素（９）として、螺旋状に巻回された円筒状コイルバネ（１６）が配されること
を特徴とする請求項２に記載の装置。
【発明の詳細な説明】
【技術分野】
【０００１】
本発明は、一般に、接眼レンズハウジング等のレンズハウジングのキャップ部材の回動調節装置に関し、とりわけ、前記キャップ部材が、該キャップ部材の内面に、軸線方向に上昇するよう（軸線を含む面に対する投影図において軸線方向に対し傾斜するよう）延在する複数の溝であって、当該溝（複数）の滑底面（複数）に所定の係止窪部（複数）を有する溝（複数）を有し、前記接眼レンズハウジングに半径方向外方を指向する複数の突起が配され、該突起（複数）は、前記溝（複数）の前記滑底面（複数）と係合し、かつ前記溝（複数）の前記滑底面（複数）上及び前記係止窪部（複数）内において付勢力下で当接するよう構成された回動調節装置に関する。
【背景技術】
【０００２】
この種の装置は、既知ではある（特許文献１参照）。特許文献１から既知の装置では、複数の突起が接眼レンズハウジングに固定的（定置的）に配設されている。これら複数の突起は、それらの頭部が接眼レンズハウジングの長手軸線に対し少なくともほぼ同じ距離を有するように接眼レンズハウジングに螺入されて固定される。
【０００３】
接眼レンズハウジングに被せられるキャップ部材は、その内面に、軸線方向に上昇するよう（軸線を含む面に対する投影図において軸線方向に対し傾斜するよう）延在する複数の溝であって、所定の複数の位置に係止窪部が形成された溝を有する。接眼レンズハウジングの長手軸線と、溝の滑底面及び係止窪部との間の距離は、該長手軸線と、突起の頭部との間の距離よりも僅かに短い。キャップ部材は変形可能な材料で製造されているので、キャップ部材を被せたときの突起の頭部に対する滑底面及び係止窪部の不十分な適合性（Unterpassung）、及び突起の頭部の溝内部への食い込みは、キャップ部材の変形が容易なので、緩和することができる。他方、このような変形は、キャップ部材と突起との間に、キャップ部材の滑らかな回転を可能とする一方で、係止窪部への確実な嵌合も可能とする有利な付勢力を生成する。
【０００４】
【特許文献１】ＤＥ １０１ ３９ １７３ Ｃ１
【発明の開示】
【発明が解決しようとする課題】
【０００５】
しかしながら、実際上、接眼レンズハウジング及びキャップ部材の径が比較的小さい場合、調節のための回動運動に対し、通常の製造公差及び組立公差により及ぼされる影響は一定のものとはならないということが判明している。係止位置（複数）には、かなりの遊びが生じ得る。キャップ部材の変形により、部分的に、引き摺り（Schleifen）が生じたり、かじりつき（引っ掛かって動かなくなったりすること）もある。これらの欠点は、全ての公差を個別に調節しなければ除去することができない。このような調節は、極めて時間がかかる作業である。
【０００６】
それゆえ、本発明の課題は、付勢力下において接眼レンズハウジングの突起上でキャップ部材を回動可能に支持するというそれ自体既知の原理を前提とし、公差に非感受性の（公差の影響を受けない）組立可能性を提供することである。
【課題を解決するための手段】
【０００７】
上記の課題を解決するために、本発明の一視点により、とりわけ接眼レンズハウジング等のレンズハウジングの（スリーブ状）キャップ部材の回動調節装置であって、前記キャップ部材が、該キャップ部材の内面に、軸線方向に上昇するよう（軸線を含む面に対する投影図において軸線方向に対し傾斜するよう）延在する複数の溝であって、当該溝（複数）の滑底面（複数）に所定の係止窪部（複数）を有する溝（複数）を有し、さらに前記接眼レンズハウジングに半径方向外方を指向する複数の突起が配され、該突起（複数）は、前記溝（複数）の前記滑底面（複数）と係合し、かつ前記溝（複数）の前記滑底面（複数）上及び前記係止窪部（複数）内において付勢力下で当接するよう構成された回動調節装置が提供される。この装置において、前記複数の突起は、前記接眼レンズハウジングにおいて弾性的に支持されることを特徴とする（形態１・基本構成）。
【発明の効果】
【０００８】
本発明の独立請求項１により、上記課題に対応した効果が達成される。即ち、本発明の回動調節装置は、各構成要素の公差に制約されることなく組立可能である。
更に、各従属請求項により、付加的な効果が後述の通りそれぞれ達成される。
【発明を実施するための最良の形態】
【０００９】
以下に、本発明の好ましい実施の形態を、上記基本構成を形態１として示すが、これらは従属請求項の対象でもある。
（２）上記形態１の装置において、前記複数の突起は、前記接眼レンズハウジングの周に（周方向に）形成される（半径方向に放射状に形成される：radial）環状空間において該環状空間に嵌合された弾性要素に載置されると共に、該突起の径と比べてより大きい径を有する平板状（とりわけディスク状）の基脚部（基脚部面：Fussflaeche）を有することが好ましい（形態２）。
（３）上記形態２の装置において、弾性要素として、エラストマーリング（Elastmerring）が配されることが好ましい（形態３）。
（４）上記形態２の装置において、弾性要素として、金属製の線状リング（バネ）（Drahtring）が配されることが好ましい（形態４）。
（５）上記形態４の装置において、前記線状リング（バネ）は、閉鎖的に（切れ目なく連続的に）構成される（切断部が存在しない）ことが好ましい（形態５）。
（６）上記形態２の装置において、弾性要素として、平面状の弾性ベルト（ばね帯金：Federband）が配されることが好ましい（形態６）。
（７）上記形態２の装置において、弾性要素として、螺旋状（螺旋シリンダ状）に巻回された（巻製された）円筒状コイルバネ（弾性線シリンダ：Federdrahtzylinder）が配されることが好ましい（形態７）。
【００１０】
突起に作用する弾性力（Federdruck）及び弾性的作動距離（Federweg）は、突起頭部が、付勢力下において溝の滑底面にも係止窪部にも当接できるような大きさに調節されなければならない。突起の長さの公差、及び１つの、場合によっては複数の弾性力における公差は、例えばキャップ部材の変形によって更に緩和（吸収）することも可能である。
【００１１】
とりわけ有利な一実施形態では、突起（Zapfen）は、当該突起の径と比べてより大きい径を有する平板状の基脚部（基脚部面）を有し、該平板状の基脚部は、接眼レンズハウジングの周に形成される環状空間において、環状空間に陥入された弾性要素に載置される。この構造は、極めて場所節約的（空間的に極めてコンパクト）であり、とりわけ接眼レンズの径及びキャップ部材の径が比較的小さい場合でも使用することができる。
【００１２】
エラストマーリングも金属製弾性リングも弾性要素として好適である。
【００１３】
以下に、本発明の実施例を図面を参照して詳細に説明する。なお、以下の実施例は、発明の理解の容易化のためのものであり、本発明の技術的思想を逸脱しない範囲において当業者により実施可能な付加・置換等の適用を排除することは意図しない。また、特許請求の範囲に付した図面参照符号も発明の理解の容易化のためのものであり、本発明を図示の態様に限定することを意図しない。なお、これらの点に関しては、補正・訂正後においても同様である。
【実施例】
【００１４】
図１は、回動的に調節可能なキャップ部材（スリーブ部材）２が被せられた接眼レンズハウジング１を示す。キャップ部材２は、その内面に、軸線方向に図示斜め上方に延在し（軸線を含む面に対する投影図において軸線方向に対し傾斜するよう延在し）かつ係止窪部（凹部）４を有する溝３を有する。キャップ部材２の外面には、（図示しない）ゴム製キャップ（滑り止め）を配することもできる。
【００１５】
接眼レンズハウジング１には、半径方向外方を指向する複数の突起（短軸：Zapfen）５が配される。突起（複数）５は、複数の溝３の何れか１つにそれぞれ陥入する。溝３は、キャップ部材２の図示下側の縁部（下縁部）においてそれぞれ開口している（不図示）。従って、例えば清掃のために必要が生じた場合、キャップ部材２は、工具がなくても接眼レンズハウジング１から（開口を介して）取り外すことができる。突起５は、潤滑油をささなくても、溝３内を滑動可能に構成されるため、場合によって侵入する塵や砂の如きは付着されない。突起５を保持するために、接眼レンズハウジング１上には、保持リング６が螺嵌（外嵌）される。保持リング６は、その図示下方の端部（下端部）において、接眼レンズハウジング１の（外）壁面と共に環状空間７を形成する。
【００１６】
図２は、図１の丸印で囲んだ部分を拡大して示す。突起５は、保持リング６の孔部に滑動可能に案内されている。突起５（のハウジング対向側）には、突起５の径より大きい径を有する平板状（とりわけディスク状）の基脚部８（基脚部８は、場合によっては、（後述する弾性要素９の外面形状に適合するよう）湾曲的に又は湾曲可能に構成することも可能である。）が形成される。平板状の基脚部８は環状空間７内に位置するため、突起５は孔部から抜け落ちることが阻止される。
【００１７】
環状空間７内の、平板状の基脚部８と接眼レンズハウジング１の（外）壁面の間（によって規定される空間）には、弾性要素９が嵌設される。突起５の曲面状（とりわけ球面状）の頭部１０は、付勢力下で溝３の滑底面（内周面）１１に当接する。平板状の基脚部８は環状空間７の内部に向かって（半径方向内方に）押圧されるので、弾性要素９は（半径方向内方に）僅かに押圧される。突起５の図示した弾性的自由作動距離（ストローク：freier Federweg）は、突起５が係止窪部４に陥入した場合であっても、なお弾性要素９の圧力（付勢力）が生成するような大きさに構成される。突起５の頭部１０は曲面状（とりわけ球面状）に構成されるため、キャップ部材２は、接眼レンズハウジング１上に嵌設される際、頭部１０のそのとき最も半径方向外方に突出した部分上で円滑に移動することができる。その際、突起５は、弾性要素９に向かって押圧され、上述の付勢力を生成する。
【００１８】
図３に示した実施例では、エラストマーリング１２が、弾性要素９として配される。エラストマーリング１２は、例えば、硬さ（Haerte）１０及びショア硬さ１７を有する。エラストマーリング１２の無負荷層厚が１．１ｍｍの場合、組み立てられた状態では、突起５の基脚部８に凡そ１５Ｎの付勢力が生成する。この場合、突起５の弾性的作動距離は凡そ０．３ｍｍであり、接眼レンズハウジング１の径は凡そ２９ｍｍである。
【００１９】
図４に示した実施例では、開部（切断部）を有する線状（ワイヤ）リングバネ１３が嵌設されている。線状リングバネ１３の２つの端部１４は、互いに対し相対的に摺動可能に構成されている。閉鎖的に（切れ目なく連続的に）構成される（切断部が存在しない）線状リングバネも勿論使用することができる。閉鎖型線状リングバネの場合は、キャップ部材２を嵌設する際、突起５の押圧力によって、その周に波状の変形が生じ得る。また、弾性要素９は、図５に示したように、とりわけ平面状の金属製弾性ベルト１５として構成することも可能である。更に、弾性要素９は、図６に示したように、螺旋状に巻製された円筒状コイルバネ（弾性線シリンダ）１６として構成することも可能である。
【図面の簡単な説明】
【００２０】
【図１】本発明の接眼レンズハウジング及びキャップ部材の一例の軸線方向断面図。
【図２】突起の支持機構の一例の軸線方向拡大断面図。
【図３】エラストマーリングによる突起の支持機構の一例の横断面図。
【図４】弾性リングによる突起の支持機構の一例の横断面図。
【図５】弾性ベルトによる突起の支持機構の一例の軸線方向拡大断面図。
【図６】円筒状コイルバネによる突起の支持機構の一例の軸線方向拡大断面図。
【符号の説明】
【００２１】
１    接眼レンズハウジング
２    キャップ部材（スリーブ）
３    溝
４    係止窪部
５    突起
６    保持リング
７    環状空間
８    平板状の基脚部（基脚部面）
９    弾性要素
１０  突起の頭部
１１  滑底面
１２  エラストマーリング
１３  線状リングバネ
１４  線状リングバネの２つの端部
１５  弾性ベルト
１６  円筒（状）コイルバネ
【図１】
2005173593.tif 000003
【図２】
2005173593.tif 000004
【図３】
2005173593.tif 000005
【図４】
2005173593.tif 000006
【図５】
2005173593.tif 000007
【図６】
2005173593.tif 000008